(57)【要約】【課題】施錠片と門柱とが接触しても接触傷や騒音等が生じにくく、その状態を長期に亘って保持できる門扉装置を提供する。【解決手段】第一の門柱１ａに門扉２の一側端が回動可能に取付けられ、門扉２の他側端に取付けられた施錠装置３を介して第二の門柱１ｂに係止される門扉装置Ｐであって、施錠装置３は、門扉２を前後方向に貫通した回動可能な支軸３２の両端部にそれぞれ相対向して取付けられた施錠片３１とからなり、支軸３２の回動操作により施錠片３１を第二の門柱１ｂに嵌合させて門扉２が第二の門柱に係止されると共に、各施錠片３１の先端部表裏両面にカバー材５が被覆され、且つ施錠片３１に設けられた前後に貫通する貫通孔３６を通じて前記表裏のカバー材３５どうしが接合されるように構成する。【選択図】  図１
2010255277.tif 000002
【特許請求の範囲】
【請求項１】
間隔をおいて第一の門柱と第二の門柱とが立設され、前記第一の門柱に門扉の一側端が回動可能に取付けられ、前記門扉の他側端に取付けられた施錠装置を介して前記第二の門柱に係止される門扉装置であって、前記施錠装置は、門扉を前後方向に貫通した回動可能な支軸と前記支軸の両端部にそれぞれ相対向して取付けられた施錠片とを備え、支軸の回動操作により前記施錠片を第二の門柱に嵌合させることにより、門扉が第二の門柱に係止されると共に、前記各施錠片の先端部表裏両面にカバー材が被覆され、且つ該施錠片に設けられた前後に貫通する貫通孔を通じて前記表裏のカバー材どうしが接合されていることを特徴とする門扉装置。
【発明の詳細な説明】
【技術分野】
【０００１】
本発明は、門柱に取付けられた門扉の施錠装置に関するものであり、特に施錠装置を構成する施錠片に関するものである。
【背景技術】
【０００２】
住宅や工場等の敷地境界部や隣地境界部に設置されるフェンスや塀には出入りのために門扉が広く用いられている。この門扉には、これまでに様々な構造を有するものが知られており、例えば、一方の側端が門柱に回動可能に取付けられた門扉において、他方の側端に施錠片を設け、固定側の門柱や門扉等に施錠片用の受け金具を取付け、施錠片を受け金具に係合させて可動側の門扉を固定するものが提案されている。
【０００３】
この門扉では、固定側の門柱や門扉等に施錠片用の受け金具を取付ける必要があるため、利用者が受け金具の突起等に衣服等を引っ掛ける恐れがある点、特に、両開きの門扉の場合は、施錠片がどちら方向に回動するのかが分かりにくい場合があり、この点が問題であった。
【０００４】
そこで、この問題を解決するために、特許文献１には、固定側の門柱や門扉等に施錠片用の受け金具が不要の門扉錠が提案されている。この門扉錠は、一端が門柱に回動可能に軸支され、該門扉の開放端側には、前後に一体的に回動するハンドル兼用の施錠片が設けられ、施錠時に該施錠片が固定側の門柱や門扉等を挟持して、該門扉の回動を阻止するようになされたものであり、これにより、固定側の門柱や門扉等に施錠片用の受け金具がなくても施錠できるため、上記の問題を解決できると共に、部品点数を抑えることができるものである。
【０００５】
又、当出願人においても、一方の側端部に施錠片が回動可能に取付けられた門扉において、前記施錠片は二個一対として門扉の表裏にそれぞれ配置され、且つ門扉を貫通する支軸にそれぞれ固定されると共に、二個の施錠片の間隔を先端に向かって拡縮できるようになされた門扉を提案している。
【先行技術文献】
【特許文献】
【０００６】
【特許文献１】実開平６−６６５８号公報
【特許文献２】特開２００７−３０８９２７号公報
【発明の概要】
【発明が解決しようとする課題】
【０００７】
しかしながら、前記の門扉錠は、施錠片を固定側の門柱に回動させた場合に、施錠片と門柱とが接触して接触傷が生じたり、施錠片が固定側の門柱を挟持した際に、門扉に風が当たって振動が生じることで施錠片と門柱とが接触して騒音が生じたりする虞れがあり、その点が問題であった。
【０００８】
本発明は、前記の如き問題点を解消し、施錠片と門柱とが接触しても接触傷や騒音等が生じにくく、その状態を長期に亘って保持できる門扉装置を提供せんとするものである。
【課題を解決するための手段】
【０００９】
上記目的を達成するために、本発明は次のような構成としている。
すなわちこの発明に係る門扉装置は、間隔をおいて第一の門柱と第二の門柱とが立設され、前記第一の門柱に門扉の一側端が回動可能に取付けられ、前記門扉の他側端に取付けられた施錠装置を介して前記第二の門柱に係止される門扉装置であって、前記施錠装置は、門扉を前後方向に貫通した回動可能な支軸と前記支軸の両端部にそれぞれ相対向して取付けられた施錠片とを備え、支軸の回動操作により前記施錠片を第二の門柱に嵌合させることにより、門扉が第二の門柱に係止されると共に、前記各施錠片の先端部表裏両面にカバー材が被覆され、且つ該施錠片に設けられた前後に貫通する貫通孔を通じて前記表裏のカバー材どうしが接合されていることを特徴とするものである。
【発明の効果】
【００１０】
本発明によれば、支軸の回動操作により前記施錠片を第二の門柱に嵌合させることにより、門扉が第二の門柱に係止されると共に、前記各施錠片の先端部表裏両面にカバー材が被覆され、且つ該施錠片に設けられた前後に貫通する貫通孔を通じて前記表裏のカバー材どうしが接合されているので、施錠片と第二の門柱とが接触することにより生じる接触傷や音等の不具合が生じにくくなり、加えて、カバー材は、その端部から捲れても、表裏のカバー材どうしの接合箇所からそれ以上捲れずに、施錠片から容易に脱着せず、施錠片への被覆状態を長期間保持できる。
【図面の簡単な説明】
【００１１】
【図１】本発明に係る門扉装置の実施の一形態を示す正面図である。
【図２】図１の主要部の拡大正面図である。
【図３】図２の説明図である。
【図４】図２のＡ−Ａ断面図である。
【図５】図２の施錠片の実施の一形態を示す説明図である。
【図６】図２の施錠片の他の実施形態を示す説明図である。
【発明を実施するための形態】
【００１２】
次に、本発明を実施するための最良の形態について図面を参照し、具体的に説明する。
【００１３】
図１において、１は立設された門柱、２は門柱に回動可能に取付けられた門扉、３は門扉２に取付けられて門扉２を門柱１に係止する施錠装置であり、本発明に係る門扉装置Ｐは、これら門柱１、門扉２、及び施錠装置３から構成され、そして、施錠装置３は、二個一対の施錠片３１を備えている。門柱１は、一般には、強度的に安定しておりコストの安い丸パイプ、角パイプ等の鋼管や、断面Ｈ字状やＴ字状の鋼材が好適に用いられるが、ステンレス合金やアルミニウム合金等の他の金属から形成されたものでもよい。
【００１４】
かかる門柱１は、第一の門柱１ａと、第二の門柱１ｂとからなり、左右に間隔をおいて立設されると共に、その間に門扉２が配置されている。これら門柱１は、門扉２を回動可能に取付けるための第一の門柱１ａと、門扉２が係止される第二の門柱１ｂとは同形態であり、門扉２の取付時に門扉２の回動方向を左右変更可能となされているが、左右それぞれの門柱１の目的に応じた専用の門柱を用いてもよい。
【００１５】
門扉２は、本実施形態では、左右両側端に縦桟２１，２２が配置され、二個の縦桟２１，２２の間に門扉パネル２３が支持されたものであり、一方の縦桟２１と門柱１とがヒンジ部材４を介して連結されることによって門柱１に対して門扉２が回動可能に取付けられ、他方の縦桟２２に施錠装置３が取付けられている。
【００１６】
縦桟２１，２２は門柱１と同様に、一般には、強度的に安定しておりコストの安い丸パイプ、角パイプ等の鋼管や、断面Ｈ字状やＴ字状の鋼材が好適に用いられるが、ステンレス合金やアルミニウム合金等の他の金属から形成されたものでもよい。又門扉２の変形を抑えると共に強度を高めるために、縦桟２１，２２の間に横桟２４を架設してもよい。更に、横桟２４は、門扉パネル２３の前後の一方のみに配置した形態でもよく、門扉パネル２３を前後に挟んだ形態でもよい。又、図示していないが、門扉パネル２３の一側面部の上下方向に挿入溝が設けられ、前記挿入溝に門扉パネル２３の側端部が挿入され支持されるものでもよい。
【００１７】
門扉パネル２３は、本実施形態では、多数の縦線材２３ａと横線材２３ｂとが格子状に配置されると共に、縦線材２３ａと横線材２３ｂとの交差部が接合された格子体であるが、本形態に限定されるものではなく、例えば、金属板や樹脂板やこれらを組み合わせた複合板からなる面材を用いてもよい。
【００１８】
図２〜４は図１の施錠装置３の拡大図であり、図２は正面図、図３は施錠装置３の施錠片３１の回動状態を示す説明図、図４は図２のＡ−Ａ断面図である。施錠装置３は、門扉２の一側端の縦桟２２を前後に貫通すると共に貫通方向を軸として回動可能となされた棒状の支軸３２と、門扉２の前後に配置され前記支軸３２の両端部にそれぞれ相対向して取付けられた施錠片３１，３１とを備えている。そして、前記回動操作によって施錠片３１，３１を縦桟２２の側方に突出した状態に支持して、施錠片３１を第二の門柱１ｂに嵌合させて門扉２が係止された施錠状態と、逆方向の回動操作によって施錠片３１，３１を引き上げて、門柱２２に対して門扉２が係止されていない開放状態にすることができる。
【００１９】
各施錠片３１は、前記支軸３２の端部が回動不能に挿通される嵌合孔３３が設けられた基部３４と、第二の門柱１ｂに嵌合させて門扉２を係止させる係止部３５とを有している。そして、嵌合孔３３を通った支軸３２の端部にナットＮが締結されて、支軸３２と施錠片３１とが一体的に回動可能となる。
【００２０】
更に、施錠片３１の先端部である係止部３５は、カバー材５で被覆されている。カバー材５は、係止部３５の表裏両面を被覆すると共に、係止部３５の縁部で接合されて係止部３５における施錠片３１の先端側全面を被覆している。これにより、施錠片３１，３１を倒した施錠状態において、門柱１ｂと係止部３５とが接触しても、カバー材５により接触傷等の発生を防ぐことができ、加えて、接触時の接触音も抑えることができる。カバー材５は、係止部３５において少なくとも第二の門柱１ｂと接触する虞れがある箇所に被覆されていればよい。
【００２１】
図５は施錠片３１の実施の一形態を示すものであり、（ａ）は正面図、（ｂ）はＢ−Ｂ拡大断面図である。施錠片３１の係止部３５には前後に貫通する貫通孔３６が形成されており、この貫通孔３６を通じて、係止部３５の表側に配置されたカバー材５と裏側に配置されたカバー材５とが接合されて接合部３７が設けられている。これにより、通行人等が施錠操作の時に触られることが多いカバー材５は、その端部が一部捲れても、前記接合部３７によってそれ以上捲れることがなく、係止部３５からは容易に外れず係止部３５を長期に亘って保護することができる。加えて、係止部３５が先細り形状となされた、一般的に被覆材が外れやすい形状の場合であっても、前記接合部３７によって容易には外れないので、係止部３５の形状の設計の自由度が増して好ましい。更に、施錠片３１とカバー材５とを直接的に接着させて接合させる必要がないため、カバー材５の材料選択の幅が拡がると共に、施錠片３１にカバー材５を施す工程が比較的少なくてすむのでより好ましい。そして、前記接合部３７を、貫通孔３６を塞ぐように形成すれば、貫通孔３６が目立ちにくくなり意匠性をより高めることができる。
【００２２】
貫通孔３６の数は、本実施形態では係止部３５に間隔をおいて２個形成されているが、カバー材５が容易に外れなければ１個でもよく、又より強固にカバー材５を保持したい場合は３個以上としてもよい。
【００２３】
図６は、施錠片３１の他の実施形態を示すものであり、（ａ）は正面図、（ｂ）はＣ−Ｃ拡大断面図である。図５の施錠片３１と比べて、本実施形態に係る施錠片３１は、係止部３５の表側に配置されたカバー材３５と裏側に配置されたカバー材３５とが接合されて接合部３７が設けられている点は同様であるが、貫通孔３６の側壁部のみをカバー材５が覆っており、貫通孔３６の中央部は塞がれずに中空部が形成されたものである。本形態においても、図５に示された施錠片３１と同様な効果を期待することができる。
【００２４】
カバー材５は、一般には、合成樹脂原料を施錠片３１に被覆して形成されるものであり、例えば合成樹脂原料を溶剤に溶かしたコーティング材を施錠片３１に噴霧して形成した被膜をカバー材５としてもよく、前記コーティング材或いは合成樹脂原料を熱等で溶融させた溶融液の中に施錠片３１を浸漬して、浸漬箇所に形成された被膜をカバー材５としてもよく、或いは、合成樹脂原料を粉体化して施錠片３１に静電気的或いは熱的に被着させて形成した被膜をカバー材５としてもよい。この合成樹脂原料としては、シリコン樹脂、ポリウレタン樹脂、ポリアクリル樹脂、ポリ塩化ビニル樹脂、ポリオレフィン等の樹脂や、これらからなるエラストマー等を挙げることができる。
【００２５】
貫通孔３６の前後幅は、貫通孔３６の直径と同程度かより大きい方が好ましい。そうすれば、合成樹脂原料が貫通孔３６の中に侵入する際、合成樹脂原料の粘度や貫通孔３６中に残存する空気等の影響を受けにくく、貫通孔３６内で接合しやすいなり好ましい。
【符号の説明】
【００２６】
１    門柱
１ａ  第一の門柱
１ｂ  第二の門柱
２    門扉
２１、２２  支柱
２３  門扉パネル
３    施錠装置
３１  施錠片
３２  支軸
３３  嵌合孔
３４  基部
３５  係止部
３６  貫通孔
３７  接合部
４    ヒンジ部材
５    カバー材
Ｎ    固定ナット
Ｐ    門扉装置
【図１】
2010255277.tif 000003
【図２】
2010255277.tif 000004
【図３】
2010255277.tif 000005
【図４】
2010255277.tif 000006
【図５】
2010255277.tif 000007
【図６】
2010255277.tif 000008